(57)【要約】【課題】フォーマットの異なる複数種類のコンテンツデータを扱うときキャッシュメモリリへのデータ展開を制御し記録媒体へのアクセス回数を低減する。【解決手段】メモリ転送コントローラ１０は、ミニディスク９０に記録された全コンテンツデータに共通の共通データをキャッシュメモリ１１にまず展開し、続いて、ユーザによって選択された再生すべきコンテンツデータに関連する関連データを展開し、次に再生すべきコンテンツデータ実体を展開する。そして最後にミニディスク９０に記録された全コンテンツデータの各々に関連する関連データをキャッシュメモリ１１に展開する。キャッシュメモリ１１は、メモリ前半部分にミニディスク９０に記録された複数の異なるコンテンツデータに関連する関連データを格納するための領域が設けられ、メモリ後半部分にはミニディスク９０に記録されたコンテンツデータの実体を格納するための領域が設けられている。【選択図】図２１
2006164338.tif 000002
【特許請求の範囲】
【請求項１】
フォーマットが異なる複数のコンテンツデータを記録媒体から読み出す及び／又は記録媒体に書き込むことが可能なデータ記録再生装置において、
上記記録媒体からデータを読み出す読出手段と、
上記複数の異なるコンテンツデータに関連する関連データを格納するための領域が前半に又コンテンツデータ実体を格納するための領域が後半に予め用意され上記読出手段で読み出されたデータを一時的に格納する一次記憶手段と、
使用者によって再生すべきコンテンツデータが選択される操作入力手段と、
上記操作入力手段を介して選択された再生すべきコンテンツデータに応じて上記一次記憶手段の格納領域における各コンテンツデータ実体の割り当てを変更する制御を行う制御手段とを備え、
上記制御手段は、上記記録媒体に記録された全コンテンツデータに共通の共通データに続いて、上記再生すべきコンテンツデータに関連する関連データと、上記再生すべきコンテンツデータ実体と、上記記録媒体に記録された全コンテンツデータの各々に関連する関連データとを上記一次記憶手段に展開することを特徴とするデータ記録再生装置。
【請求項２】
上記制御手段は、上記記録媒体に記録されたコンテンツデータのうち第１のコンテンツデータに関連する第１の関連データを上記一次記憶手段に展開し続いて第１のコンテンツデータ実体を上記第１のコンテンツデータ以外のコンテンツデータに関連する関連データのための領域を確保して展開し、上記第１のコンテンツデータが上記一次記憶手段に所定量格納されると該第１のコンテンツデータの再生を開始するとともに上記第１のコンテンツデータ以外のコンテンツデータに関連する関連データを上記一次記憶手段の予め用意された領域に展開することを特徴とする請求項１記載のデータ記録再生装置。
【請求項３】
上記第１のコンテンツデータはオーディオデータであり、上記第１のコンテンツデータ以外のコンテンツデータとして画像データを含むことを特徴とする請求項１記載のデータ記録再生装置。
【請求項４】
上記制御手段は、上記オーディオデータを再生するとき、該オーディオデータの関連データを上記一次記憶手段の予め用意された領域に展開し続いてオーディオデータ実体を画像データに関連する関連データのための領域を確保して展開し、上記オーディオデータが上記一次記憶手段に所定量格納されると該オーディオデータの再生を開始するとともに上記画像データに関連する関連データを上記一次記憶手段の予め用意された領域に展開することを特徴とする請求項３記載のデータ記録再生装置。
【請求項５】
上記制御手段は、上記オーディオデータの再生中に、上記操作入力手段を介してオーディオデータと画像データとを同時に再生するモードが選択されると、コンテンツデータ実体の格納領域を解放し、上記オーディオデータ実体と上記画像データ実体とを展開することを特徴とする請求項３記載のデータ記録再生装置。
【請求項６】
上記制御手段は、サムネイル画像データを上記記録媒体上に生成し、上記画像データを再生するとき、該画像データの関連データを上記一次記憶手段の予め用意された領域に展開し続いて上記オーディオデータに関連する関連データを上記一次記憶手段の予め用意された領域に展開し、上記画像データを上記一次記憶手段の予め用意された領域に展開し、該画像データに続いて上記サムネイル画像データを上記一次記憶手段に展開することを特徴とする請求項３記載のデータ記録再生装置。
【請求項７】
画像サムネイルデータは、複数枚を１ファイルとして構成されていることを特徴とする請求項６記載のデータ記録再生装置。
【請求項８】
上記記録媒体は、所定の符号化方式で符号化されたコンテンツデータが記録される第１の記録領域と、上記所定の符号化方式以外で符号化されたコンテンツデータが記録される第２の記録領域とを備える光磁気ディスクであることを特徴とする請求項１記載のデータ記録再生装置。
【請求項９】
フォーマットが異なる複数のコンテンツデータを記録媒体から読み出す及び／又は記録媒体に書き込むデータ記録再生方法において、
上記記録媒体からデータを読み出す読出ステップと、
上記複数の異なるコンテンツデータに関連する関連データを格納するための領域が前半に又コンテンツデータ実体を格納するための領域が後半に予め用意された一次メモリに上記読出ステップで読み出されたデータを一時的に格納する一次記憶ステップと、
使用者によって再生すべきコンテンツデータが選択されると選択されたコンテンツデータに応じて上記一次メモリの格納領域における各コンテンツデータ実体の割り当てを変更するメモリ制御ステップとを有し、
上記メモリ制御ステップでは、上記記録媒体に記録された全コンテンツデータに共通の共通データに続いて、上記再生すべきコンテンツデータに関連する関連データと、上記再生すべきコンテンツデータ実体と、上記記録媒体に記録された全コンテンツデータの各々に関連する関連データとを上記一次メモリに展開することを特徴とするデータ記録再生方法。
【請求項１０】
上記メモリ制御ステップでは、上記記録媒体に記録されたコンテンツデータのうち第１のコンテンツデータに関連する第１の関連データが上記一次メモリに展開され続いて第１のコンテンツデータ実体が上記第１のコンテンツデータ以外のコンテンツデータに関連する関連データのための領域を確保して展開され、上記第１のコンテンツデータが上記一次メモリに所定量格納されると該第１のコンテンツデータが再生開始されるとともに上記第１のコンテンツデータ以外のコンテンツデータに関連する関連データが上記一次メモリの予め用意された領域に展開されることを特徴とする請求項９記載のデータ記録再生方法。
【請求項１１】
上記第１のコンテンツデータはオーディオデータであり、上記第１のコンテンツデータ以外のコンテンツデータとして画像データを含むことを特徴とする請求項９記載のデータ記録再生方法。
【請求項１２】
オーディオデータを再生するモードにあるとき、上記メモリ制御ステップでは、該オーディオデータの関連データが上記一次メモリの予め用意された領域に展開され続いてオーディオデータ実体が画像データに関連する関連データのための領域を確保して展開され、上記オーディオデータが上記一次メモリに所定量格納されると該オーディオデータが再生開始されるとともに上記画像データに関連する関連データが上記一次メモリの予め用意された領域に展開されることを特徴とする請求項１１記載のデータ記録再生方法。
【請求項１３】
上記オーディオデータの再生中にオーディオデータと画像データとを同時に再生するモードが指定されると、上記メモリ制御ステップではコンテンツデータ実体の格納領域を解放し、上記オーディオデータ実体と上記画像データ実体とが再度展開されることを特徴とする請求項１１記載のデータ記録再生方法。
【請求項１４】
サムネイル画像データを上記記録媒体上に生成するステップを有し、
上記画像データを再生するモードにあるとき、上記メモリ制御ステップでは、該画像データの関連データが上記一次メモリの予め用意された領域に展開され続いて上記オーディオデータに関連する関連データが上記一次メモリの予め用意された領域に展開され、上記画像データが上記一次メモリの予め用意された領域に展開され、更に該画像データに続いて上記サムネイル画像データが上記一次メモリに展開されることを特徴とする請求項１１記載のデータ記録再生方法。
【請求項１５】
画像サムネイルデータは、複数枚を１ファイルとして構成されていることを特徴とする請求項１４記載のデータ記録再生方法。
【請求項１６】
上記記録媒体は、所定の符号化方式で符号化されたコンテンツデータが記録される第１の記録領域と、上記所定の符号化方式以外で符号化されたコンテンツデータが記録される第２の記録領域とを備える光磁気ディスクであることを特徴とする請求項９記載のデータ記録再生方法。
【発明の詳細な説明】
【技術分野】
【０００１】
本願発明は、記録媒体へのデータを読出／書込に時間を要する記録再生装置においてフォーマットの異なる複数のコンテンツを記録再生する際、コンテンツの種類に応じて一時格納場所であるメモリの割り当てを変更するデータ記録再生装置及びデータ記録再生方法に関する。
【背景技術】
【０００２】
近年、光学ディスク、磁気ディスク等の記録媒体を大容量化するための技術が各種開発されている。また、１つのメディアについて多様なデータ、例えば、画像データ、オーディオデータ、コンピュータ用途のデータ等を自在に記録し再生できるようにすることも要求されている。しかし、汎用的なメディアを開発する際には、旧来の記録再生装置等の互換性、整合性も重要視される。また、物理的にみても、旧来の資産を有効利用できることが好ましい。
【０００３】
現在広く普及しているミニディスク（Mini Disc：ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。
【０００４】
オーディオ用のミニディスクは、ユーザが容易に入手可能であることから、このミニディスクをコンピュータ用のデータストレージメディア等、音楽用途以外に幅広く利用できるようになると都合がよいのであるが、記録容量が１６０ＭＢ程度である上にメディア固有のＩＤ等の著作権保護情報を記録する領域が用意されていない。そのため、広範囲なデータストレージとして音楽映像配信等に利用することを想定した場合、記録容量不足と配信したコンテンツの著作権保護等の要請に対応できないといった問題点がある。また、オーディオデータ記録領域以外の固有の管理領域による管理方式（ＰＴＯＣ（Pre-mastered Table Of Contents）、ＵＴＯＣ（User Table Of Contents））を採用しているため、例えば、ＦＡＴファイルシステム等の汎用のファイルシステム用途に対応させることが困難である。
【０００５】
更に、ＵＴＯＣ管理下のトラックにオーディオ以外のデータを記録した場合、多くのオーディオ機器（ＭＤプレーヤ）で再生ときに異音が発生する等の不具合が生じてしまう。つまり、オーディオ用ミニディスクを汎用的なストレージメディアとして利用することを想定した場合、記録容量、管理システム、著作権保護関係等の特殊情報、旧来機種での不具合等が問題になっていた。
【０００６】
ミニディスクシステムにおいてオーディオデータ以外のデータ記録を目的とした規格として、“ＭＤ−ＤＡＴＡ”、又は“ＭＤ−ＣＬＩＰ”と呼ばれるディスク規格が既に開発されているが、ＭＤ−ＤＡＴＡは、オーディオ用ＭＤとは異なる専用ディスクである点、また、ＭＤ−ＤＡＴＡ対応の専用の記録再生装置でないと利用できない点、記録容量が１４０ＭＢ程度である点等、上記要望を満たすものではない。また、ＭＤ−ＣＬＩＰは、オーディオ用ＭＤが使用でき、またＵＴＯＣ管理対象外であった内周部分を利用することから、従来のオーディオ機器において不都合はないが、汎用データ記録領域が２ＭＢ程度しかないために自ずと用途が限定されてしまっていた。
【０００７】
そこで、トラックピッチを狭くし、線速度及び変調方式を変更する等の改良を加えることで記録データの高密度化を実現し、更に、通常の記録領域に加えて認証によって使用可能となる秘匿領域（セキュア領域）を設けることによって、上述の不具合を解決した次世代ミニディスクが提案されている。次世代ミニディスクでは、高密度化が達成されたことによりデータ容量が大きい画像データを記録再生できるようになった。また、次世代ミニディスクは、オーディオデータ、ＰＣデータ等を同一ディスク内に一括して記録し管理することが可能になっただけでなく、著作権が発生する音楽コンテンツ、映像コンテンツ等のデータは、所定フォーマットでセキュア領域に記録され、セキュア領域を参照可能な装置によってのみ再生できる仕組みが導入されている。
【０００８】
通常、光学ディスク、磁気ディスク等の記録媒体に対してデータを読み書きする機器は、読出又は書込処理にディスクアクセスのための時間がかかる。ディスクに対してアクセスされる間、機器が操作待機状態になるため、特に記録媒体への読み書きが頻繁に発生すると、機器のユーザが快適に使用することができない。
【０００９】
そのため、ディスクアクセスが必要な記録媒体と比較してデータの読出／書込を速く行える半導体メモリ、いわゆる“キャッシュメモリ”を用意して、一度記録媒体から読み出したデータをキャッシュメモリに一時的に格納することにより、同じデータが必要になったときに記録媒体に再度アクセスするのではなく、キャッシュメモリにアクセスすることでアクセス時間を短縮する手法が一般的である（例えば、特許文献１参照）。
【００１０】
機器が扱えるコンテンツが、例えば音楽コンテンツ１種類の場合、再生機器は、ディスク状記録媒体からキャッシュメモリに読み出したコンテンツデータに再アクセスする頻度が高いため、キャッシュメモリのメモリ残量が逼迫しない限り、ある程度の量のデータをキャッシュメモリに一時格納しておくことによりディスクアクセス回数を低減してアクセス時間を短縮することができる。
【００１１】
【特許文献１】特開２００２−３３４０１５号公報
【発明の開示】
【発明が解決しようとする課題】
【００１２】
ところが、ディスクアクセス時間が生じるような記録媒体を使用した記録再生装置は、特に上述したような次世代ミニディスクのように大量データ及びフォーマットが異なる複数種類のコンテンツを扱うことができる記録再生装置は、複数種類のコンテンツを記録再生するとき、以下のようなトレードオフが発生する。
【００１３】
例えば、再生動作において、この記録再生装置は、ある種類のコンテンツデータを再生している間、別のフォーマットのコンテンツデータを絶対に参照しないのであれば、参照しないコンテンツデータ及びこのコンテンツデータに関連するデータをキャッシュメモリから開放すれば、現在扱っている種類のコンテンツのためにより多くの容量を割り当てることができる。これにより、この種類のコンテンツデータを扱う上での記録媒体へのアクセス回数が抑制できる。
【００１４】
しかし、この記録再生装置がフォーマットの異なる複数のコンテンツデータを扱うモードにある場合、主として使用しているコンテンツデータに対して副次的に使用する異なるフォーマットのコンテンツデータを全く参照しないデータであるとしてキャッシュメモリから開放してしまうと、副次的なコンテンツデータ及びこのコンテンツデータに関連するデータが必要になったとき、記録媒体からキャッシュメモリに改めて読み込む必要があり、このときディスクアクセス時間による応答遅延、再生動作遅延等が発生してしまう。
【００１５】
比較的参照頻度が低いデータであってもキャッシュメモリに読み出しておけば、このコンテンツデータが必要なモードになった場合、既にキャッシュメモリ上に存在するデータが使用できてアクセス時間を短縮できることになるが、主に扱っているコンテンツデータに割り当てるキャッシュメモリ容量が少なくなる分、主として使用するコンテンツデータを再生するときの記録媒体へのアクセスが頻繁に発生する可能性がある。
【００１６】
そこで本発明は、フォーマットの異なる複数種類のコンテンツデータを扱うことのできる記録再生装置において、一時格納場所として設けられ記憶容量が制限されたメモリを効率よく制御することにより、記録媒体へのアクセス回数を極力低減することができるデータ記録再生装置及びデータ記録再生方法を提供することを目的とする。
【課題を解決するための手段】
【００１７】
本発明に係るデータ記録再生装置は、フォーマットが異なる複数のコンテンツデータを記録媒体から読み出す及び／又は記録媒体に書き込むことが可能なデータ記録再生装置において、記録媒体からデータを読み出す読出手段と、複数の異なるコンテンツデータに関連する関連データを格納するための領域が前半に又コンテンツデータ実体を格納するための領域が後半に予め用意され読出手段で読み出されたデータを一時的に格納する一次記憶手段と、使用者によって再生すべきコンテンツデータが選択される操作入力手段と、操作入力手段を介して選択された再生すべきコンテンツデータに応じて一次記憶手段の格納領域における各コンテンツデータ実体の割り当てを変更する制御を行う制御手段とを備え、制御手段が記録媒体に記録された全コンテンツデータに共通の共通データに続いて、再生すべきコンテンツデータに関連する関連データと、再生すべきコンテンツデータ実体と、記録媒体に記録された全コンテンツデータの各々に関連する関連データとを一次記憶手段に展開することにより、上述した目的を達成する。
【００１８】
ここで、制御手段は、記録媒体に記録されたコンテンツデータのうち第１のコンテンツデータに関連する第１の関連データを一次記憶手段に展開し続いて第１のコンテンツデータ実体を第１のコンテンツデータ以外のコンテンツデータに関連する関連データのための領域を確保して展開し、第１のコンテンツデータが一次記憶手段に所定量格納されると該第１のコンテンツデータの再生を開始するとともに第１のコンテンツデータ以外のコンテンツデータに関連する関連データを一次記憶手段の予め用意された領域に展開する。
【００１９】
第１のコンテンツデータはオーディオデータであるとし、第１のコンテンツデータ以外のコンテンツデータの主たるデータとして画像データを使用する。すなわち、本発明に係るデータ記録再生装置は、オーディオコンテンツを再生しながら映像コンテンツとしての静止画像データを閲覧するような場合に好適に適用できる。
【００２０】
また、制御手段は、サムネイル画像データを記録媒体上に生成し、画像データを再生するとき、該画像データの関連データ、オーディオデータの関連データに続いて、画像データ実体とサムネイル画像データとを一次記憶手段に展開する。画像サムネイルデータは、複数枚を１ファイルとして構成されている。
【００２１】
本発明に係るデータ記録再生装置は、特に、所定の符号化方式で符号化されたコンテンツデータが記録される第１の記録領域と、所定の符号化方式以外で符号化されたコンテンツデータが記録される第２の記録領域とを備える光磁気ディスクを記録媒体として使用することができる。
【００２２】
また、上述した目的を達成するために、本発明に係るデータ記録再生方法は、フォーマットが異なる複数のコンテンツデータを記録媒体から読み出す及び／又は記録媒体に書き込むデータ記録再生方法において、記録媒体からデータを読み出す読出ステップと、複数の異なるコンテンツデータに関連する関連データを格納するための領域が前半に又コンテンツデータ実体を格納するための領域が後半に予め用意された一次メモリに読出ステップで読み出されたデータを一時的に格納する一次記憶ステップと、使用者によって再生すべきコンテンツデータが選択されると選択されたコンテンツデータに応じて一次メモリの格納領域における各コンテンツデータ実体の割り当てを変更するメモリ制御ステップとを有し、メモリ制御ステップでは、記録媒体に記録された全コンテンツデータに共通の共通データに続いて、再生すべきコンテンツデータに関連する関連データと、再生すべきコンテンツデータ実体と、記録媒体に記録された全コンテンツデータの各々に関連する関連データとを上記一次メモリに展開することを特徴とする。
【発明の効果】
【００２３】
本発明によれば、フォーマットの異なる複数種類のコンテンツデータを同時に扱うとき、コンテンツデータ本体と該コンテンツに関連する関連データとを分離し、関連データのみを常に一次格納場所の所定領域に読み出して確保することにより、フォーマットの異なるコンテンツを同時に或いは切り換えて再生するときの記録媒体へのアクセス回数を低減でき、再生応答時間等を短縮することができる。
【発明を実施するための最良の形態】
【００２４】
本具体例では、本発明を、ディスク状の光磁気記録媒体の一例としてミニディスク（登録商標）方式の記録媒体に対して、オーディオデータ、映像データ、コンピュータ用のデータ（以下、ＰＣデータという。）等を含むコンテンツデータを記録再生可能なコンテンツ記録再生装置に適用した場合について説明する。
【００２５】
本発明の具体例として示すコンテンツ記録再生装置１は、異なるフォーマットで作成された複数の異なるコンテンツデータが記録された記録媒体からこれらのコンテンツデータを再生することができる記録再生装置である。このコンテンツ再生装置によって再生可能なミニディスクは、例えば、オーディオデータ、映像データ、ＰＣデータ等のように異なるフォーマットで作成された異なるデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であり、本具体例では、ＡＴＲＡＣ（Adaptive TRansform Acoustic Coding）方式、ＡＴＲＡＣ３方式、ＡＴＲＡＣ３ｐｌｕｓ方式等のＡＴＲＡＣ（登録商標）ファミリ形式のオーディオデータは、この秘匿領域に記録可能な特定データとして扱われる。ＭＰ３（MPEG1 Audio Layer-3）形式、ＷＭＡ（Windows（登録商標） Media Audio）形式等、ＡＴＲＡＣ以外のオーディオデータ、画像データ、テキストデータ等のデータは、通常記録領域に記録される。
【００２６】
ここで、コンテンツ記録再生装置１で使用可能となるミニディスク９０について説明する。
【００２７】
本具体例で適用できるミニディスク９０としては、従来の光磁気記録方式の変調方式を工夫したタイプと、従来の光磁気記録方式を採用したミニディスクの記録再生方式として通常用いられる記録フォーマットとは異なる信号方式を適用することによって秘匿性の向上と記録容量の高密度化を実現した新規タイプとがあげられる。新規タイプは、高密度記録技術及び新規ファイルシステムを適用することによって、従来のミニディスクと筐体外形及び記録再生光学系に互換性を有しつつ、記録容量の増加を実現している。
【００２８】
以下、ミニディスク９０の仕様例について説明する。まず、従来のミニディスクの仕様について説明する。
【００２９】
従来のミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーヴ（ディスク盤面上の溝）をトラックとして記録再生に用いるグルーヴ記録方式を採用している。また、アドレス方式は、ディスク盤面上にシングルスパイラルのグルーヴを形成し、このグルーヴの両側に対してアドレス情報としてのウォブル（Wobble）を形成したウォブルドグルーヴを利用する方式をとっている。なお、本明細書では、ウォブルとして記録される絶対アドレスをＡＤＩＰ（Address in Pregroove）ともいう。従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００３０】
これに対して、本具体例で使用するミニディスク９０のうち、従来の光磁気記録方式の変調方式を変更することで記録密度の高密度化を達成したタイプ（以下、必要に応じて第１の次世代ＭＤという。）は、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーヴ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
【００３１】
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。
【００３２】
また、従来の光磁気記録方式を採用したミニディスクの記録再生方式として通常用いられる記録フォーマットとは異なる信号方式を適用することによって秘匿性の向上と記録容量の高密度化を実現した新規タイプ（以下、必要に応じて、第２の次世代ＭＤという。）は、例えば、磁壁移動検出方式（ＤＷＤＤ：Domain Wall Displacement Detection）等の高密度化記録技術を適用した記録媒体であって、従来のミニディスクとは、物理フォーマットが異なっている。
【００３３】
新規タイプは、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーヴ記録方式、アドレス方式は、ＡＤＩＰを利用した方式とする。また、筐体外形も従来ミニディスクと同一規格とされている。但し、従来ミニディスクと同等の光学系を用いて、従来ミニディスクのトラックピッチよりも狭いトラックピッチ及び線密度（ビット長）を読み取る際には、デトラックマージン、ランド及びグルーヴからのクロストーク、ウォブルのクロストーク、フォーカス漏れ、ＣＴ信号等における制約条件を解消する必要がある。
【００３４】
そのため、ミニディスク９０では、グルーヴの溝深さ、傾斜、幅等が変更されている。具体的には、グルーヴの溝深さが１６０ｎｍ〜１８０ｎｍ、傾斜が６０°〜７０°、幅が６００ｎｍ〜８００ｎｍになっている。
【００３５】
また更に、新規タイプのミニディスクでは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００３６】
この場合のディスク駆動方式には、ＺＣＡＶ方式を用い、その線速度は、２．０ｍ／ｓとする。記録再生時の標準データレートは、９．８ＭＢ／ｓである。このように新規タイプは、ＤＷＤＤ方式及びこの駆動方式を採用することにより、総記録容量を１ＧＢ程度にできる。
【００３７】
本発明の具体例として示すコンテンツ記録再生装置１の概略について、図１〜図３を用いて説明する。上述したような複数タイプのミニディスク９０に対応するために、図１に示す本例のコンテンツ記録再生装置１では、記録再生部４として、図３に示す符号化及び／又は復号部（以下、コーデックという。）を備えている。図３は、図２に示すコンテンツ記録再生装置１のコーデックを具体的に説明している。
【００３８】
コンテンツ記録再生装置１は、記録媒体としてミニディスク９０を使用し、オーディオデータ、静止画像データ、動画像データ、テキストデータ、パーソナルコンピュータ用のデータ等、異なるフォーマットで作成された各種コンテンツデータを扱うことができ、例えば、オーディオデータを再生する一方で表示部において静止画像データ又は動画像データを再生するというように、フォーマットの異なるコンテンツデータを同時に再生することができる。
【００３９】
ここで、ミニディスク９０に関して説明を加える。ミニディスク９０の通常のデータ再生動作時にはアクセスできない所定領域に、記録媒体毎にユニークな識別情報としてＩＤコードが記録されている。このＩＤコードは、記録媒体の種別によって、消去可能な情報として記録装置で任意に発生して記録される場合と、工場出荷時に上書き不可能な状態に記録される場合とがある。
【００４０】
図１に示すように、コンテンツ記録再生装置１は、データ記録再生制御部２と画像処理部３とを備えている。データ記録再生制御部２は、ミニディスク９０に対して記録再生を行う記録再生部４と、オーディオデータを入力するオーディオデータ入力部５と、オーディオデータを外部に出力するオーディオデータ出力部６と、オーディオデータに対して所定の圧縮伸長処理を施すオーディオデータ処理部７と、情報処理機器にデータを送受するための外部インターフェイス部８と、入力操作部９と、メモリ転送コントローラ１０と、補助メモリとしてのキャッシュメモリ１１と、システムコントローラ１２とを備えている。
【００４１】
画像処理部３は、ＣＣＤ（Charge Coupled Device）、レンズ部等で構成される画像取得部１３と、取得した画像データの一時格納場所としてのカメラデータバッファメモリ１４と、液晶表示部（ＬＣＤ：Liquid Crystal Display）等が使用可能な表示部１５と、画像データに所定の圧縮伸長処理を施す画像データ処理部１６と、画像処理部３を統括する画像データ制御部１７とを備えている。
【００４２】
また、コンテンツ記録再生装置１は、データ記録再生制御部２の外部インターフェイス部８として、ＵＳＢハブ１８，ＵＳＢインターフェイス１９及び２０を備えている。コンテンツ記録再生装置１は、外部インターフェイス部８によりパーソナルコンピュータ（以下、ＰＣという。）１００と接続することができる。
【００４３】
コンテンツ記録再生装置１は、上述した構成を備え、異なるフォーマットで作成された各種コンテンツデータを記録可能なミニディスク９０を記録媒体として用いることにより、オーディオデータを記録できるほか、画像データを取得してミニディスク９０に記録することができる。また、外部インターフェイス部８を介してＰＣ等の情報処理機器と接続可能としたことで情報処理機器の外部ストレージとしても使用できる。
【００４４】
以下、図１に示す各構成について具体的に説明する。コンテンツ記録再生装置１においてメモリ転送コントローラ１０は、ミニディスク９０に記録されたフォーマットが異なる複数のコンテンツデータのうち記録再生部４で読み出された再生データ又は記録再生部４に供給する記録データの送受制御を行う。メモリ転送コントローラ１０は、入力操作部９を介してユーザによって選択された再生すべきコンテンツデータに応じて、後述するキャッシュメモリ１１に一時的に格納するデータの割り当てを変更する制御を行う。
【００４５】
コンテンツ記録再生装置１がある種類のコンテンツを再生している間、別の種類のコンテンツを全く参照しないのであれば、参照しないコンテンツの情報をキャッシュメモリ１１から解放すれば再生中のコンテンツに対してより多くの領域を提供できて利点が大きい。しかし、別の種類のコンテンツを参照することがある場合、このコンテンツに対してもある程度のメモリ容量が確保されていなければ、このコンテンツを再生する時の応答性が悪くなってしまう。再生メモリ転送コントローラ１０は、再生されるコンテンツの要求に応じて、キャッシュメモリ１１におけるデータの配置を決定している。
【００４６】
メモリ転送コントローラ１０は、ミニディスク９０に記録された全コンテンツデータに共通の共通データをキャッシュメモリ１１にまず展開し、続いて、ユーザによって選択された再生すべきコンテンツデータに関連する関連データを展開し、次に再生すべきコンテンツデータ実体を展開する。そして最後にミニディスク９０に記録された全コンテンツデータの各々に関連する関連データをキャッシュメモリ１１に展開する。メモリ転送コントローラ１０がコンテンツの再生モードに応じてキャッシュメモリ１１に格納するデータ配置を変更する処理の詳細については後述する。
【００４７】
キャッシュメモリ１１は、記録再生部４によってミニディスク９０のデータトラックから高密度データクラスタ単位で読み出されたデータを上述したメモリ転送コントローラ１０の制御に基づいて一時的に格納するメモリであり、メモリ前半部分にミニディスク９０に記録された複数の異なるコンテンツデータに関連する関連データを格納するための領域が設けられ、メモリ後半部分にはミニディスク９０に記録されたコンテンツデータの実体を格納するための領域が設けられている。
【００４８】
キャッシュメモリ１１は、記録再生部４によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１０の制御に基づいて記憶する。
【００４９】
上述した関連データとは、あるコンテンツデータに対して、このコンテンツデータの実体がミニディスク９０のどこに記録されているかというアドレス情報、コンテンツの種類を表すタグ情報、ＵＴＯＣデータ等の各種管理情報、秘匿領域に記録される著作権保護のための情報、データ改竄チェックのための情報、限定的にアクセスを許可する外部機器情報等であり、例えば、オーディオデータであれば、曲名、作曲者名、曲長を示す時間情報等のようにオーディオデータの実体を識別するための情報、或いはオーディオデータを補足する情報である。また、画像データであれば、画像番号、作成日付、画枠サイズ、データ量等のような画像データの実体を識別するための情報、或いは画像データを補足する情報である。本具体例では関連データをシステム情報と表し、特に、ミニディスクに記録された全コンテンツデータに関連する関連データを共通システム情報とし、オーディオデータの関連データをオーディオデータシステム情報とし、画像データの関連データを画像システム情報とする。
【００５０】
システムコントローラ１２は、例えば、ミニディスク９０が記録再生部４に装填されると、ミニディスク９０の管理情報記録領域から管理情報等を読み出すよう記録再生部４に指示し、読み出されたＰＴＯＣ、ＵＴＯＣ等の管理情報等をメモリ転送コントローラ１０によってキャッシュメモリ１１に格納させる。また、システムコントローラ１２は、これらの管理情報を読み込むことによって、ミニディスク９０のトラック記録状態を把握している。また、システムコントローラ１２は、ＵＳＢインターフェイス２０、ＵＳＢハブ１８を介して接続されたＰＣ１００との間で通信可能である。システムコントローラ１２は、このＰＣ１００との間の通信制御を行って、ＰＣ１００からの書込要求、読出要求等のコマンドの受信、ＰＣ１００へのステイタス情報、その他の必要情報の送信等を行う。
【００５１】
システムコントローラ１２は、ＰＣ１００から、あるＦＡＴセクタの読出要求があった場合、記録再生部４に対して、読み出しを要求されたＦＡＴセクタを含むデータクラスタの読出を実行する旨の制御信号を与える。記録再生部４によって読み出されたデータクラスタは、メモリ転送コントローラ１０によってキャッシュメモリ１１に書き込まれる。但し、既にＦＡＴセクタのデータがキャッシュメモリ１１に格納されていた場合、記録再生部４による読出は必要ない。このとき、システムコントローラ１２は、キャッシュメモリ１１に書き込まれている高密度データクラスタのデータから、要求されたＦＡＴセクタのデータを読み出す制御信号を与え、ＵＳＢインターフェイス２０、ＵＳＢハブ１８を介して、ＰＣ１００に送信するための制御を行う。
【００５２】
また、システムコントローラ１２は、ＰＣ１００から、あるＦＡＴセクタの書込要求があった場合、記録再生部４に対して、書き込みが要求されたＦＡＴセクタを含むデータクラスタの読出を実行させる。読み出されたデータクラスタは、メモリ転送コントローラ１０によってキャッシュメモリ１１に書き込まれる。但し、既にこのＦＡＴセクタのデータがキャッシュメモリ１１に格納されていた場合は、記録再生部４による読出は必要ない。また、システムコントローラ１２は、ＰＣ１００から送信されたＦＡＴセクタの記録データを、ＵＳＢインターフェイス２０を介してメモリ転送コントローラ１０に供給し、キャッシュメモリ１１上で該当するＦＡＴセクタのデータの書き換えを実行させる。更にシステムコントローラ１２は、メモリ転送コントローラ１０に指示して、必要なＦＡＴセクタが書き換えられた状態でキャッシュメモリ１１に記憶されているデータクラスタのデータを記録データとして記録再生部４に転送させる。このとき、記録再生部４は、装着されている記録媒体であるミニディスクが対応している変調方式でデータクラスタの記録データを変調して書き込む。
【００５３】
なお、上述した記録再生制御は、データトラックを記録再生する際の制御であり、オーディオトラックに記録再生されるＭＤオーディオデータを記録再生する際のデータ転送は、オーディオデータ処理部７を介して行われる。
【００５４】
また、画像取得部１３で取得された画像データは、画像データ制御部１７、システムコントローラ１９を介してミニディスク９０に記録される。ミニディスク９０に記録される画像データは画像データ処理部１６によって所定の画像エンコードを施されデータ圧縮される。ミニディスク９０から読み出された画像データは、表示部１５において再生される。ミニディスク９０から再生された画像データは画像データ処理部１６において復号されデータ伸長処理される。また、コンテンツ記録再生装置１は、画像データ制御部１７に対して画像データが外部から入力される入力端子や外部へ画像データが出力される出力端子を備えるように構成されていてもよい。
【００５５】
コンテンツ記録再生装置１のほかの構成として、オーディオデータ処理部７に対する入力系としてオーディオデータ入力部５は、例えば、ライン入力回路／マイクロフォン入力回路等のアナログオーディオ信号入力部、Ａ／Ｄ変換器、及びデジタルオーディオデータ入力部を備える。また、オーディオデータ処理部１９は、ＡＴＲＡＣ圧縮エンコーダ／デコーダ、圧縮データのバッファメモリを備える。更に、オーディオデータ処理部７に対する出力系としてオーディオ出力部６は、例えばデジタルオーディオデータ出力部、Ｄ／Ａ変換器及びライン出力回路／ヘッドホン出力回路等のアナログオーディオ信号出力部を備えている。
【００５６】
記録媒体であるミニディスク９０に対してオーディオトラックが記録される第１の経路は、オーディオデータ処理部７にデジタルオーディオデータ、又はオーディオデータ入力部５のＡ／Ｄ変換器でアナログオーディオ信号から信号変換されたデジタルオーディオ信号が入力される場合である。入力されたリニアＰＣＭデジタルオーディオデータ、或いはアナログオーディオ信号で入力された後Ａ／Ｄ変換器で変換されて得られたリニアＰＣＭオーディオデータは、ＡＴＲＡＣ圧縮エンコードされ、キャッシュメモリ１１に蓄積される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００５７】
また、記録媒体であるミニディスク９０に対してオーディオトラックが記録される第２の場合は、パーソナルコンピュータ１００から秘匿領域に記録されることが許可されたオーディオデータが入力された場合である。この場合、パーソナルコンピュータ１００とシステムコントローラ１２との間でＵＳＢハブ１８，ＵＳＢインターフェイス２０を介してミニディスク９０に記録されるデータがオーディオデータとして秘匿領域に記録が許可されているデータであるか否かのチェックが行われ、ミニディスク９０の秘匿領域にオーディオデータとして記録が許可されたデータであることが認識された場合、システムコントローラ１２は、メモリ転送コントローラに対してパーソナルコンピュータ１００から入力される指定されたオーディオデータがミニディスク９０の秘匿領域に記録されるように、記録再生部４に指示を与える。
【００５８】
ミニディスク９０の秘匿領域への記録が許可された場合、パーソナルコンピュータ１００は、ＵＳＢハブ１８，ＵＳＢインターフェイス１９を介してオーディオデータファイルをメモリ転送コントローラに転送し、転送されたオーディオデータファイルは、キャッシュメモリ１１に一時的に記憶される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００５９】
記録再生部４は、ミニディスク９０から秘匿領域に記録されたオーディオトラックを再生する場合、再生データをＡＴＲＡＣ圧縮データ状態に復調してオーディオデータ処理部７に転送する。オーディオデータ処理部７は、ミニディスク９０から再生されたＡＴＲＡＣエンコードされたオーディオデータにＡＴＲＡＣ圧縮デコードを施してリニアＰＣＭオーディオデータとし、オーディオデータ出力部６からデジタルデータとして出力する。或いは、Ｄ／Ａ変換器によりアナログ音声信号としてライン出力／ヘッドホン出力を行う。
【００６０】
なお、ＰＣ１００との接続は、ＵＳＢに限らず、例えば、ＩＥＥＥ（The Institute of Electrical and Electronics Engineers,Inc.：アメリカ電気電子技術者協会）の定める規格に準拠した、いわゆるＩＥＥＥ１３９４インターフェイスのほか、汎用の接続インターフェイスが適用できる。
【００６１】
次に、コンテンツ記録再生装置１における記録再生部４、オーディオデータ処理部７、オーディオデータ入力部５及びオーディオデータ出力部６の周辺構成について、図２を用いて詳細に説明する。
【００６２】
記録再生部４は、従来のミニディスク９０に対して記録再生する記録処理系を示している。記録再生部４は、ミニディスク９０の記録方式であるＥＦＭ変調及びＡＣＩＲＣエンコードを実行する構成を備え、再生処理系として、ミニディスク９０を再生するためのＥＦＭ復調及びＡＣＩＲＣデコードを実行する構成とを備える。また、記録再生部４は、装填されたミニディスク９０をスピンドルモータ３１によってＣＬＶ方式又はＺＣＡＶ方式によって回転駆動する。記録再生時には、このミニディスク９０に対して、光学ヘッド３２からレーザ光が照射される。
【００６３】
光学ヘッド３２は、記録時に記録トラックをキュリー温度まで加熱するための高レベルのレーザ出力を行い、また再生時には、磁気カー効果により反射光からデータを検出するための比較的低レベルのレーザ出力を行う。このため光学ヘッド３２は、レーザ出力手段としてのレーザダイオード、偏光ビームスプリッタ、対物レンズ等からなる光学系及び反射光を検出するためのディテクタが搭載されている。光学ヘッド３２に備えられる対物レンズとしては、例えば２軸機構によってディスク半径方向及びディスクに接離する方向に変位可能に保持されている。また、本具体例では、媒体表面の物理的仕様が異なる複数種類のミニディスクに対して記録再生可能とし、両ディスクに対して最大限の再生特性を得るために、光学ヘッド３２の読取光の光路中にデータ読取時のビットエラーレートを最適化できる位相補償板を設ける。
【００６４】
ミニディスク９０を挟んで光学ヘッド３２と対向する位置には、磁気ヘッド３３が配置されている。磁気ヘッド３３は、記録データによって変調された磁界をミニディスク９０に印加する。また、図示しないが光学ヘッド３２全体及び磁気ヘッド３３をディスク半径方向に移動させためのスレッドモータ及びスレッド機構が備えられている。
【００６５】
この記録再生部４では、光学ヘッド３２、磁気ヘッド３３による記録再生ヘッド系、スピンドルモータ３１によるディスク回転駆動系のほかに、記録処理系、再生処理系、サーボ系等が設けられる。記録処理系としては、ミニディスク９０への記録時にＥＦＭ変調、ＡＣＩＲＣエンコードを行う部位が設けられる。また、再生処理系として、ミニディスク９０の再生時にＥＦＭ変調に対応する復調及びＡＣＩＲＣデコードを行う部位が設けられる。
【００６６】
光学ヘッド３２からミニディスク９０に照射されたレーザ光の反射光は、フォトディテクタによって光電流として検出され、ＲＦ信号処理部３４に供給される。ＲＦ信号処理部３４は、入力された検出情報に対して電流−電圧変換、増幅、マトリクス演算等を行い、再生情報としての再生ＲＦ信号、トラッキングエラー信号ＴＥ、フォーカスエラー信号ＦＥ、ミニディスク９０にトラックのウォブリングにより記録されているグルーヴ情報としてのＡＤＩＰ情報等を抽出する。
【００６７】
ミニディスク９０の再生時には、ＲＦ信号処理部３４で得られた再生ＲＦ信号は、ＡＤＩＰ＿ＰＬＬ回路３５及びＥＦＭ＿ＰＬＬ回路３６を介して、ＥＦＭ及び／又はＡＣＩＲＣ符号化復調部（ＥＦＭ／ＡＣＩＲＣコーデック）３７で処理される。ＲＦ信号処理部３４から出力されるトラッキングエラー信号（Detrack）、フォーカスエラー信号（Defocus）、レンズシフト信号（LensShift）は、後段の各サーボ信号処理回路に供給され、グルーヴ情報は、ＡＤＩＰ＿ＰＬＬ回路３５に供給される。ＡＤＩＰ＿ＰＬＬ回路３５は、グルーヴ情報に対してバンドパスフィルタにより帯域制限してウォブル成分を抽出した後、ＦＭ復調、バイフェーズ復調を行ってＡＤＩＰアドレスを抽出する。また、グルーヴ情報は、スピンドルサーボ制御のためにサーボ信号処理回路４６に戻される。
【００６８】
再生ＲＦ信号は、ＥＦＭ及び／又はＡＣＩＲＣ符号化復調部（ＥＦＭ／ＡＣＩＲＣコーデックと記す。）３７で２値化されてＥＦＭ信号列とされた後、ＥＦＭ復調され、更にＡＣＩＲＣ復調のための誤り訂正及びデインターリーブ処理が行われる。オーディオデータであれば、この時点でＡＴＲＡＣ圧縮データの状態である。復調されたＡＴＲＡＣ圧縮データは、ミニディスク９０からの再生データとしてメモリ転送コントローラ１５に対応するＤＲＡＭコントローラ３８によって、キャッシュメモリ１１に対応するＤＲＡＭ３９に一時的に格納され、オーディオデータ処理部７に対応するＡＴＲＡＣ符号化復号部（ＡＴＲＡＣコーデック）４０での使用に応じて読み出される。
【００６９】
ＡＴＲＡＣ圧縮データは、ＡＴＲＡＣコーデック４０でＡＴＲＡＣ復号され、オーディオデータ入力部５に対応するＡＤ／ＤＡコンバータ４１及びアンプ４２を介してヘッドホン或いはスピーカといった出力部４３から出力される。コンテンツ記録再生装置１は、マイク４４、アンプ４５、ＡＤ／ＤＡコンバータ４１を介して外部音声を取得することもできる。
【００７０】
サーボ信号処理回路４６は、例えばグルーヴ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成し、駆動回路５０に送る。また、サーボ信号処理回路４７，４８，４９は、ＲＦ信号処理部３４から供給されたトラッキングエラー信号、フォーカスエラー信号、レンズシフト、トラックジャンプ指令、アクセス指令等に基づいて、トラッキング制御信号、フォーカス制御信号、スレッド制御信号、スピンドル制御信号等の各種サーボ制御信号を生成し、各駆動回路５１，５２，５３に対して出力する。すなわち、各サーボ信号処理回路は、サーボエラー信号又は指令に対して位相補償処理、ゲイン処理、目標値設定処理等の必要処理を行って各種サーボ制御信号を生成する。
【００７１】
各駆動回路５０，５１，５２，５３では、サーボ信号処理回路から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ミニディスク９０に対するフォーカス制御、トラッキング制御、及びスピンドルモータ３１に対するＣＬＶ制御又はＺＣＡＶ制御が行われる。
【００７２】
ミニディスク９０に対して記録動作が実行される際には、図１に示したメモリ転送コントローラ１５からＡＴＲＡＣ圧縮データが供給される。ミニディスク９０に対する記録時は、ＥＦＭ／ＡＣＩＲＣコーデック３７が機能する。オーディオデータであれば、ＡＣＩＲＣコーデックの符号化器でインターリーブ及びエラー訂正コード付加が行われた後、ＥＦＭ変調される。ＥＦＭ変調データが磁気ヘッドドライバ５４に供給され、磁気ヘッド３３がミニディスク９０に対してＥＦＭ変調データに基づいた磁界印加を行うことで変調されたデータが記録される。
【００７３】
ＥＦＭ及び／又はＡＣＩＲＣ符号化復調部（ＥＦＭ／ＡＣＩＲＣコーデック）３７の具体例を図３に詳細に示す。記録再生部４の要部は、図２に示したコンテンツ記録再生装置１のスピンドルモータ３１、光学ヘッド３２、磁気ヘッド３３、ＲＦ信号処理部３４、ＡＤＩＰ＿ＰＬＬ回路３５、ＥＦＭ＿ＰＬＬ回路３６、ＥＦＭ及び／又はＡＣＩＲＣ符号化復調部（ＥＦＭ／ＡＣＩＲＣコーデック）３７、サーボ信号処理回路４６、サーボ信号処理回路４７，４８，４９、駆動回路５０，５１，５２，５３、磁気ヘッドドライバ５４に対応している。
【００７４】
記録再生部４は、装填されたディスク９０をスピンドルモータ３１によってＣＬＶ方式で回転駆動させる。そして、このディスク９０に対しては記録／再生時に光学ヘッド３２によってレーザ光が照射される。ミニディスク９０としては、現行のＭＤ仕様のディスクと、現行のＭＤの光磁気記録方式の変調方式を工夫したディスクと、従来の光磁気記録方式を採用したミニディスクの記録再生方式として通常用いられる記録フォーマットとは異なる信号方式を適用することによって秘匿性の向上と記録容量の高密度化を実現した新規ディスクとが共通して装着されることから、これら仕様の異なるディスクに応じて、線速度が異なる。このため、スピンドルモータ３１は、装填されたディスク９０の別に応じた異なる線速度に対応して回転されることになる。
【００７５】
光学ヘッド３２は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド３２には、図示は省略するがレーザ出力手段としてのレーザダイオード、偏光ビームスプリッタや対物レンズ等からなる光学系、及び反射光を検出するためのディテクタが搭載されている。光学ヘッド３２に備えられる対物レンズとしては、例えば２軸機構によってディスク半径方向及びディスクに接離する方向に変位可能に保持されている。
【００７６】
また、ディスク９０を挟んで光学ヘッド３２と対向する位置には磁気ヘッド３３が配置されている。磁気ヘッド３３は記録データによって変調された磁界をディスク９０に印加する動作を行う。また、図示しないが光学ヘッド３２全体及び磁気ヘッド３３をディスク半径方向に移動させためスレッドモータ及びスレッド機構が備えられている。
【００７７】
光学ヘッド３２及び磁気ヘッド３３は、第２の次世代ＭＤのディスクの場合には、パルス駆動磁界変調を行うことにより、より記録密度の高い記録再生を可能にする。現行ＭＤのディスクや第１の次世代ＭＤのディスクの場合には、磁界変調方式が用いられる。
【００７８】
また、この記録再生部４では、光学ヘッド３２、磁気ヘッド３３による記録再生ヘッド系、スピンドルモータ３１によるディスク回転駆動系のほかに、記録処理系、再生処理系、サーボ系等が設けられる。
【００７９】
記録処理系では、現行のＭＤシステムのディスクの場合において、オーディオトラックの記録時に、ＡＣＩＲＣでエラー訂正符号化を行い、ＥＦＭで変調してデータを記録する部位と、第１の次世代ＭＤ及び第２の次世代ＭＤの場合に、ＢＩＳとＬＤＣを組み合わせた方式でエラー訂正符号化を行い、ＲＬＬ（１−７）ＰＰ変調を施して記録する部位が設けられる。
【００８０】
再生処理系には、現行のＭＤシステムのディスクの再生時にＥＦＭの復調とＡＣＩＲＣによるエラー訂正処理を実行するための部位と、第１の次世代ＭＤ及び第２の次世代ＭＤシステムのディスクの再生時にパーシャルレスポンス及びビタビ復号を用いたデータ検出に基づくＲＬＬ（１−７）ＰＰ復調とＢＩＳとＬＤＣによるエラー訂正処理を行う部位とが設けられる。また、再生処理系は、現行のＭＤシステムや第１の次世代ＭＤのＡＤＩＰ信号よるアドレスをデコードする部位と、第２の次世代ＭＤのＡＤＩＰ信号をデコードする部位とを備えている。
【００８１】
ミニディスク９０での反射光をフォトディテクタで変換して得られる光電流は、ＲＦ信号処理部３４に供給される。ＲＦ信号処理部３４は、入力した検出情報に対して電流−電圧変換、増幅、マトリクス演算等を行って、再生情報としての再生ＲＦ信号、トラッキングエラー信号ＴＥ、フォーカスエラー信号ＦＥ、ＡＤＩＰ情報等を抽出する。
【００８２】
ミニディスク９０が現行のＭＤシステムのディスクであるとき、ＲＦアンプで得られた再生ＲＦ信号は、ＥＦＭ復調部６８及びＡＣＩＲＣデコーダ６９で処理される。再生ＲＦ信号は、ＥＦＭ復調部６８で２値化されてＥＦＭ信号列とされた後、ＥＦＭ復調され、更にＡＣＩＲＣデコーダ６９で誤り訂正及びデインターリーブ処理される。この時点でＡＴＲＡＣ圧縮データの状態となる。また、現行のＭＤシステムのディスクであるときには、セレクタ７０はＢ接点側が選択されており、復調されたＡＴＲＡＣ圧縮データがディスク９０からの再生データとして出力される。
【００８３】
一方、第１の次世代ＭＤ及び第２の次世代ＭＤのディスクを再生するときには、ＲＦ信号処理部３４で得られた再生ＲＦ信号は、ＲＬＬ（１−７）ＰＰ復調部６６及びＲＳ−ＬＤＣデコーダ６７で処理される。すなわち再生ＲＦ信号は、ＲＬＬ（１−７）ＰＰ復調部６６において、ＰＲ（６６８）ＭＬ又はＰＲ（１，−１）ＭＬと、ビタビ復号とを用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ６７で誤り訂正、及びデインターリーブ処理される。第１の次世代ＭＤ及び第２の次世代ＭＤのディスクの再生時には、セレクタ７０は、Ａ接点側が選択され、ＲＬＬ（１−７）ＰＰ復調されたデータがディスク９０からの再生データとして出力される。
【００８４】
ＲＦ信号処理部３４から出力されるトラッキングエラー信号、フォーカスエラー信号はサーボ信号処理回路４６に供給され、グルーヴ情報はＡＤＩＰ復調部８０に供給される。ＡＤＩＰ復調部８０は、グルーヴ情報に対してバンドパスフィルタにより帯域制限してウォブル成分を抽出した後、ＦＭ復調、バイフェーズ復調を行ってＡＤＩＰ信号を復調する。そして、このように復調された、絶対アドレス情報であるＡＤＩＰアドレスは、図１に示されるシステムコントローラ１２に供給される。システムコントローラ１２は、ＡＤＩＰアドレスに基づいて所定の制御処理を実行する。またグルーヴ情報は、スピンドルサーボ制御のためにサーボ信号処理回路４６に供給される。
【００８５】
サーボ信号処理回路４６は、例えばグルーヴ情報に対して再生クロック（デコード時のＰＬＬ系クロック）との位相誤差を積分して得られる誤差信号に基づき、ＣＬＶサーボ制御のためのスピンドルエラー信号を生成する。またサーボ信号処理回路４６は、スピンドルエラー信号、ＲＦ信号処理部３４から供給されたトラッキングエラー信号、フォーカスエラー信号、或いはシステムコントローラ１２からのトラックジャンプ指令、アクセス指令等に基づいて各種サーボ制御信号（トラッキング制御信号、フォーカス制御信号、スレッド制御信号、スピンドル制御信号等）を生成し、駆動回路５０に対して出力する。すなわち上記サーボエラー信号や指令に対して位相補償処理、ゲイン処理、目標値設定処理等の必要処理を行って各種サーボ制御信号を生成する。
【００８６】
駆動回路５０では、サーボ信号処理回路４６から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ディスク９０に対するフォーカス制御、トラッキング制御、及びスピンドルモータ３１に対するＣＬＶ制御が行われることになる。
【００８７】
現行のＭＤシステムのディスクでオーディオデータを記録するときには、セレクタ６５がＢ接点に接続されることにより、ＡＣＩＲＣエンコーダ６３及びＥＦＭ変調部６４が機能する。この場合、記録データとして図１に示されるキャッシュメモリ１１から供給される圧縮データは、ＡＣＩＲＣエンコーダ６３でインターリーブ及びエラー訂正コード付加が行われた後、ＥＦＭ変調部６４でＥＦＭ変調が行われる。そして、ＥＦＭ変調データがセレクタ６５を介して磁気ヘッドドライバ５４に供給され、磁気ヘッド３３がディスク９０に対してＥＦＭ変調データに基づいた磁界印加を行うことによりオーディオトラックが記録される。
【００８８】
これに対し、第１の次世代ＭＤ又は第２の次世代ＭＤ２にデータを記録するときには、セレクタ６５がＡ接点に接続され、ＲＳ−ＬＤＣエンコーダ６１及びＲＬＬ（１−７）ＰＰ変調部６２が機能することになる。この場合、キャッシュメモリ１１からの高密度データは、ＲＳ−ＬＤＣエンコーダ６１でインターリーブ及びＲＳ−ＬＤＣ方式のエラー訂正コード付加が行われた後、ＲＬＬ（１−７）ＰＰ変調部６２でＲＬＬ（１−７）変調が行われる。そして、ＲＬＬ（１−７）符号列としての記録データがセレクタ６５を介して磁気ヘッドドライバ５４に供給され、磁気ヘッド３３がディスク９０に対して変調データに基づいた磁界印加を行うことでデータトラックが記録される。
【００８９】
レーザドライバ６０は、上記のような再生時及び記録時においてレーザダイオードにレーザ発光動作を実行させるほか、いわゆるＡＰＣ（Automatic Laser Power Control）動作も行う。
【００９０】
図示していないが、光学ヘッド３２内にはレーザパワーモニタ用のディテクタが設けられ、そのモニタ信号がレーザドライバ６０にフィードバックされる。レーザドライバ６０は、モニタ信号として得られる現在のレーザパワーと設定されたレーザパワーとを比較して、その誤差分をレーザ駆動信号に反映させることにより、レーザダイオードから出力されるレーザパワーが設定値で安定するように制御している。なお、レーザパワーは、再生時と記録時とで異なっており、再生レーザパワー又は記録レーザパワーとしての値がシステムコントローラ１２によってレーザドライバ６０内部のレジスタにセットされる。
【００９１】
以上の各動作（アクセス、各種サーボ、データ書込、データ読出の各動作）は、図１に示されるシステムコントローラ１２からの指示に基づいて実行される。
【００９２】
次に、本発明の具体例として示すコンテンツ記録再生装置１で扱われるミニディスク９０の盤面上のエリア構造及びデータ管理構造の一例について図面を用いて説明する。
【００９３】
まず、ミニディスク９０の盤面上のエリア構造例を図４、図５に模式的に示す。ミニディスク９０のディスクの最内周側には、プリマスタードエリアとして、ＰＴＯＣ（Premasterd Table Of Contents）が設けられている。ここには、ディスク管理情報が物理的な構造変形によるエンボスピットとして記録されている。プリマスタードエリアよりも外周は、光磁気記録可能なレコーダブルエリアとされ、記録トラックの案内溝としてのグルーヴが形成された記録再生可能領域である。このレコーダブルエリアの最内周側は、ＵＴＯＣ（User Table Of Contents）領域であって、このＵＴＯＣ領域には、ＵＴＯＣ情報が記述されるとともにプリマスタードエリアとの緩衝エリアとレーザ光の出力パワー調整等のために用いられるパワーキャリブレーションエリアとが設けられている。
【００９４】
ミニディスク９０は、図５に示すように、高密度化を図るためにプリピットを用いないため、従来の光磁気記録方式を採用したミニディスクの記録再生方式として通常用いられる記録フォーマットとは異なる信号方式を適用したミニディスクには、ＰＴＯＣ領域がない。この場合のミニディスク９０には、レコーダブルエリアの更に内周領域に著作権保護のための情報、データ改竄チェックのための情報、他の非公開情報等を記録するユニークＩＤエリア（Unique ID：ＵＩＤ）が設けられている。このＵＩＤエリアは、ミニディスク９０に適用されるＤＷＤＤ方式とは異なる記録方式で記録されている。
【００９５】
なお、ここで説明した各ディスクには、オーディオデータ用のオーディオトラックとデータトラックとを混在記録することもできる。この場合、例えば、図６に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【００９６】
ミニディスク９０では、一連のオーディオトラック及びデータトラックは、ディスク上で必ずしも物理的に連続して記録される必要はなく、複数のパーツに分割して記録されていてもよい。パーツとは、物理的に連続して記録される区間を示す。すなわち、物理的に離れた２つのＰＣデータ記録領域が存在する場合でも、データトラックの数としては、１つとして扱われる場合もあり、複数トラックとして扱われる場合もある。
【００９７】
続いて、ミニディスク９０のデータ管理構造の一例について図７から図１９に示す。コンテンツ記録再生装置１は、ミニディスク９０をＦＡＴファイルシステムで管理している。また、コンテンツ記録再生装置１は、コンテンツデータを以下に示すディレクトリ構造で管理している。
【００９８】
図７に示すように、ミニディスクには、オーディオファイルを格納するディレクトリである“ＨＩＦＩ”、静止画の画像データを格納するディレクトリである“ＤＣＩＭ”等が作成される。オーディオディレクトリ“ＨＩＦＩ”には、サブディレクトリとしてトラックインフォメーションファイル（以下、ＴＩＦと記す。）、オーディオデータファイル（以下、ＡＤＦと記す。）、トラックＭＡＣ等が生成される。また、デジタルカメラによって撮像された画像データを格納する静止画像ディレクトリ“ＤＣＩＭ”は、サブディレクトリとして０００〜９９９番までの通し番で区別されるフォルダ“＊＊＊ＭＳＤＣＦ（＊＊＊は、０００〜９９９）”を有し、更に各サブディレクトリ内には、撮像された静止画像データが所定の命名規約に基づいて、ＤＳＣ＊＊＊＊．ｊｐｇ（＊＊＊＊は、時間情報）のようなファイル名を添付されて格納されている。
【００９９】
図７に示すディレクトリ構造には、ミニディスク９０に特徴的なセキュリティ情報及びコンテンツ世代管理情報等のファイルも含まれている。セキュリティ情報及びコンテンツ世代管理情報としては、記録再生装置毎の再生許可情報としてのＥＫＢ（Enabling Key Block）、コンテンツの改竄チェック情報としてのトラックＭＡＣ等がある。
【０１００】
ＨＩＦＩにおけるトラックインフォメーションファイル（ＴＩＦ）は、オーディオコンテンツデータに関する暗号化情報に相当する。トラックインフォメーションファイル（ＴＩＦ）及びオーディオデータファイル（ＡＤＦ）は、ＦＡＴファイルシステムで管理されている。
【０１０１】
オーディオデータファイル（ＡＤＦ）は、図８に示すように、複数のオーディオデータが１つのファイルとして構成されたものであり、このＦＡＴファイルシステムでは、オーディオデータファイルは、巨大な１ファイルとして構成されている。オーディオデータファイルは、複数のオーディオブロックからなり、１トラック分のデータは、複数のオーディオブロックに跨って形成されている。更にその内部は、パーツに区切られて記録される。一連のオーディオトラックやデータトラックは、ディスク上で必ずしも物理的に連続して記録されることはなく、複数のパーツに分割して記録される。パーツとは、物理的に連続して記録される記録区間を示す。オーディオブロックは、パーツの集合として扱われる。したがって、オーディオブロックの区切りとトラックの区切り、或いはパーツの区切りとトラックの区切りは、必ずしも一致しない。
【０１０２】
トラックインフォメーションファイル（ＴＩＦ）は、オーディオデータファイル（ＡＤＦ）に納められたオーディオデータを管理するための各種の情報が記述されたファイルである。トラックインフォメーションファイル（ＴＩＦ）は、図９に示すように、プレイオーダテーブルと、プログラムドプレイオーダテーブルと、グループインフォメーションテーブルと、トラックインフォメーションテーブルと、パーツインフォメーションテーブルと、ネームテーブル等からなる。
【０１０３】
プレイオーダテーブルは、デフォルトで定義された再生順序が記述されたテーブルである。プレイオーダテーブルは、図１０に示すように、各トラックナンバ（曲番）についてトラックインフォメーションテーブルのトラックデスクリプタ（図２２）へのリンク先を示す情報ＩＮＦ１、ＩＮＦ２、・・・を格納している。トラックナンバは、例えば「１」から始まる連続した番号である。
【０１０４】
プログラムドプレイオーダテーブルは、再生手順を各ユーザが定義したテーブルである。プログラムドプレイオーダテーブルには、図１１に示すように、各トラックナンバについてのトラックデスクリプタへのリンク先の情報トラック情報ＰＩＮＦ１、ＰＩＮＦ２、・・・が記述されている。
【０１０５】
グループインフォメーションテーブルには、図１２、図１３に示すように、グループに関する情報が記述されている。グループとは、連続したトラックナンバをもつ１以上のトラックの集合、又は連続したプログラムドトラックナンバをもつ１以上のトラックの集合である。グループインフォメーションテーブルは、図１２に示すように、各グループのグループデスクリプタで記述されている。グループデスクリプタには、図１３に示すように、グループが開始されるトラックナンバと、終了するトラックナンバと、グループネームと、フラグとが記述される。
【０１０６】
トラックインフォメーションテーブルは、図１４、図１５に示すように、各曲に関する情報が記述される。トラックインフォメーションテーブルは、図１４に示すように、各トラック毎（各曲毎）のトラックデスクリプタからなる。各トラックデスクリプタには、図１５に示すように、符号化方式、著作権管理情報、コンテンツの復号鍵情報、その楽曲が開始するエントリとなるパーツナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されている。符号化方式は、コーデックの方式を示しており復号情報となる。
【０１０７】
パーツインフォメーションテーブルは、図１６、図１７に示すように、パーツナンバから実際の楽曲の位置をアクセスするポインタが記述されている。パーツインフォメーションテーブルは、図１６に示すように、パーツデスクリプタからなる。パーツとは、１トラック（楽曲）の全部、又は１トラックを分割した各パーツである。パーツデスクリプタのエントリは、図１７に示すトラックインフォメーションテーブルによって指し示される。各パーツデスクリプタは、図１７に示すように、オーディオデータファイル上におけるそのパーツの先頭のアドレスと、そのパーツの終了のアドレスと、そのパーツに続くパーツへのリンク先とが記述される。
【０１０８】
なお、パーツナンバのポインタ情報、ネームテーブルのポインタ情報、オーディオファイルの位置を示すポインタ情報として用いるアドレスとしては、ファイルのバイトオフセット、ＦＡＴのクラスタナンバ、記録媒体として用いられるディスクの物理アドレス等を用いることができる。
【０１０９】
ネームテーブルは、ネームの実体となる文字を表すためのテーブルである。ネームテーブルは、図１８に示すように、複数のネームスロットからなる。各ネームスロットは、ネームを示す各ポインタからリンクされて呼び出される。ネームを呼び出すポインタは、トラックインフォメーションテーブルのアーチストネーム、タイトルネーム、グループインフォメーションテーブルのグループネーム等がある。また、各ネームスロットは、複数から呼び出されることが可能である。各ネームスロットは、図１９に示すように、文字情報であるネームデータと、この文字情報の属性であるネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１１０】
この発明が適用されたシステムにおけるオーディオデータの管理方式の一例では、図１０に示すプレイオーダテーブルによって、再生するトラック（楽曲）のトラックナンバが指定されると、トラックインフォメーションテーブルのリンク先であるトラックデスクリプタが読み出され、このトラックデスクリプタから、符号化方式、著作権管理情報、コンテンツの復号鍵情報、その楽曲が開始するパーツナンバへのポインタ情報、アーチストネーム及びタイトルネームのポインタ、元曲順情報、録音時間情報等が読み出される。
【０１１１】
トラックインフォメーションテーブルから読み出されたパーツナンバの情報から、図１６及び図１７に示すパーツインフォメーションテーブルにリンクされ、このパーツインフォメーションテーブルから、トラック（楽曲）の開始位置に対応するパーツの位置のオーディオデータファイルにアクセスされる。
【０１１２】
オーディオデータファイルのパーツインフォメーションテーブルで指定される位置のパーツのデータがアクセスされると、この位置からオーディオデータの再生が開始される。このとき、トラックインフォメーションテーブルのトラックデスクリプタから読み出された符号化方式に基づいて復号が行われる。オーディオデータが暗号化されている場合には、トラックデスクリプタから読み出された鍵情報が使われる。
【０１１３】
現在のパーツに続くパーツがある場合には、パーツデスクリプタに記述されたパーツのリンク先にしたがって、続くパーツデスクリプタが順に読み出される。オーディオディデータファイル上において、パーツデスクリプタのリンク先を辿って、パーツデスクリプタで指定される位置にあるパーツのオーディオデータを再生することにより、所望のトラック（楽曲）のオーディオディオデータが再生できる。
【０１１４】
また、トラックインフォメーションテーブルから読み出されたアーチストネーム又はタイトルネームのポインタによって指し示される位置にあるネームテーブルのネームスロット（図１８及び図１９に示される。）が呼び出され、この位置にあるネームスロットからネームデータが読み出される。
【０１１５】
また、上述したようなディレクトリ構造を有するミニディスク９０に対して、新たにオーディオデータを記録する場合には、ＦＡＴテーブルにより、所望の数のレコーディングブロック以上、連続した未使用領域が用意される。
【０１１６】
オーディオデータを記録するための領域が用意されたら、新しいトラックデスクリプションがトラックインフォメーションテーブル上に１つ割り当てられ、このオーディオデータを暗号化するためのコンテンツの鍵が生成される。そして、入力されたオーディオデータが暗号化され、用意された未使用領域に、暗号化されたオーディオデータが記録される。このオーディオデータが記録された領域がＦＡＴのファイルシステム上でオーディオデータファイルの最後尾に連結される。
【０１１７】
新たなオーディオデータがオーディオデータファイルに連結されたのに伴い、この連結された位置の情報が作成され、新たに確保されたパーツデスクリプションに、新たに作成されたオーディオデータの位置情報が記録される。そして、新たに確保されたトラックデスクリプションに、鍵情報やパーツナンバが記述される。更に、必要に応じて、ネームスロットにアーチストネームやタイトルネーム等が記述され、トラックデスクリプションに、そのネームスロットにアーチストネームやタイトルネームにリンクするポインタが記述される。そして、プレイオーダテーブルに、そのトラックデスクリプションのナンバが登録される。また著作権管理情報が更新される。
【０１１８】
オーディオデータを再生する場合には、指定されたトラックナンバに対応する情報がプレイオーダテーブルから求められ、再生すべきトラックのトラックデスクリプタが取得される。
【０１１９】
トラックインフォメーションテーブルのそのトラックデスクリプタから、鍵情報が取得され、また、エントリのデータが格納されている領域を示すパーツデスクリプションが取得される。所望のオーディオデータが格納されているパーツの先頭のオーディオデータファイル上の位置がそのパーツデスクリプションから取得され、その位置に格納されているデータが取り出される。そして、その位置から再生されるデータに対して、取得された鍵情報を用いて暗号が解読され、オーディオデータの再生がなされる。パーツデスクリプションにリンクがある場合には、指定されてパーツにリンクされて、同様の手順が繰り返される。
【０１２０】
本発明の具体例として示すコンテンツ記録再生装置１は、上述したミニディスク９０を用いて上述のようなデータ管理を行うことにより、オーディオデータ、静止画像データ、動画像データ、テキストデータ、パーソナルコンピュータ用のデータ等、異なるフォーマットで作成された各種コンテンツデータを扱うことができ、例えば、オーディオデータを再生する一方で表示部において静止画像データ又は動画像データを再生することができる。
【０１２１】
本発明の具体例として示すコンテンツ記録再生装置１では、メモリ転送コントローラ１０がキャッシュメモリ１１を制御するにあたって、各種コンテンツに対して「システム情報」と「データ実体」とを切り分けて、キャッシュメモリ１１には常にシステム情報を保持している点が特徴である。
【０１２２】
キャッシュメモリ１１には、予め、全コンテンツデータのシステム情報を格納するための共通システム情報領域、オーディオコンテンツのシステム情報を格納するオーディオシステム情報領域、映像コンテンツのシステム情報を格納する画像システム情報領域等が用意されており、メモリ転送コントローラ１０は、決められた領域に決められた順番に各コンテンツに関連するシステム情報を展開していく。
【０１２３】
以下では、説明の便宜上、オーディオデータのみを再生するモード１と、ミニディスク９０に撮影した画像データ或いは通信によりパーソナルコンピュータ１００からミニディスク９０内に取得した画像データを再生するモード２と、オーディオデータを再生しながら画像データを再生するモード３について説明する。モード３は、オーディオデータ
を再生しながら画像データを次々と表示部１３に表示する動作が実行されるため、このモードをスライドショーモードともいう。コンテンツ記録再生装置１がメモリ転送コントローラ１０によって再生すべきコンテンツデータに応じてキャッシュメモリ１１にデータを展開する処理を図２０を用いて説明する。
【０１２４】
メモリ転送コントローラ１０は、ステップＳ１として、装着されたミニディスクの種類を判別する。フォーマットの異なる複数のコンテンツを混在して記録可能なディスクであった場合、すなわち上述した第１の次世代ＭＤ又は第２の次世代ＭＤで合った場合、ステップＳ２において共通システム情報をキャッシュメモリ１１に展開する。次にメモリ転送コントローラ１０は、ステップＳ３として、オーディオシステム情報をオーディオシステム情報領域に展開する。
【０１２５】
このとき、メモリ転送コントローラ１０は、ステップＳ４として、モード判別を行う。コンテンツ記録再生装置１に設定されたモードがオーディオデータの再生のみのモード１であるとき、ステップＳ５に進み、キャッシュメモリ１１の後半部分に用意された領域にオーディオデータの実体を展開する。オーディオデータ実体が所定量格納されると、オーディオコンテンツの再生を開始する。
【０１２６】
このときキャッシュメモリ１１に対するデータの割り当てを図２１に示す。図２１〜図２３に示すメモリ内のデータの割り当てを説明する模式図では、メモリ構造の上部がアドレス番号が小さく下部に進むに連れてアドレス番号が増加するものとする。モード１では、共通システム情報、オーディオシステム情報、画像システム情報に続いてオーディオデータの実体が、共通システム情報、音声システム情報、オーディオデータの実体、画像システム情報の順番に展開される。
【０１２７】
一方、ステップＳ４においてモード２であったとき、メモリ転送コントローラ１０は、ステップＳ７において、オーディオシステム情報領域に続けて用意された領域に画像システム情報を展開し、続いてステップＳ８において、画像システム情報領域に続くキャッシュメモリ１１の後半部分に用意された領域に画像データの実体を展開する。オーディオデータ実体が所定量格納されると、ステップＳ９として、メモリ転送コントローラ１０は、画像データのサムネイル画像ファイルとして記録媒体上に作成された画像データのサムネイル画像ファイルを、画像データの実体を格納する領域に続いて用意されたサムネイル画像ファイル領域に展開する。
【０１２８】
そして、ステップＳ１０において画像データを再生する、画像の読み込みを待機する、或いはカメラ機能を使用した撮影を待機する等の状態になる。
【０１２９】
モード２におけるキャッシュメモリ１１に対するデータの割り当てを図２２に示す。モード２では、共通システム情報、オーディオシステム情報、画像システム情報、画像データの実体、サムネイル画像ファイルがこの順番に展開される。ここで画像データの実体を展開する領域は、１画像ファイル当たり１．２ＭＢ〜１．３ＭＢを割り当てるものとする。コンテンツ記録再生装置１では、撮像する画像サイズを複数種類の中から選択できるようにしている。例えば、画枠サイズが１２８０画素×９６０画素の場合、画像データサイズは、約８００ｋＢ程度になる。また、サムネイル画像は、複数枚を１ファイルとする。例えば、１００枚を１単位として１ファイルを構成する。キャッシュメモリ１１には、画像データの実体を展開する領域に続いて、サムネイル画像ファイルを展開する領域を用意する。
【０１３０】
また、ステップＳ１１において、メモリ転送コントローラ１０は、モード判別を行う。ここでのモード判別は、モード１とモード３の判別である。モード３が設定されていた場合、ステップＳ１２において、メモリ転送コントローラ１０は、オーディオデータが再生可能なデータ量分展開されたか判別し、続いて画像システム情報をオーディオシステム情報領域に続いて用意された領域に画像システム情報を展開し、スライドショーモードに移行する。
【０１３１】
図２３には、モード３におけるキャッシュメモリ１１に対するデータの割り当てを示す。スライドショーモードでは、画像を所定間隔で連続的に切り換えて表示するため、画像データの本体を展開するよりは、例えば１００枚１ファイルとして生成されるサムネイル画像ファイルを展開することが好ましい。モード３では、共通システム情報、オーディオシステム情報、画像システム情報、オーディオデータの実体、サムネイル画像ファイルが、共通システム情報、オーディオシステム情報、オーディオデータの実体、画像システム情報、サムネイル画像ファイルの順番に展開される。
【０１３２】
なお、モード１、モード２或いはモード３の実行中に、ユーザによって、入力操作部９を介してモード切替操作が行われると、ステップＳ２０からこの処理に入ることができる。
【０１３３】
以上説明したように、メモリ転送コントローラ１０は、コンテンツ記録再生装置１がモード１であれば、ミニディスク９０に記録されたコンテンツデータのうち、まずオーディオシステム情報をキャッシュメモリ１１に展開し、続いてオーディオデータの実体を画像システム情報領域を確保して展開し、続いてオーディオデータを再生するとともに画像システム情報を展開する。
【０１３４】
また、メモリ転送コントローラ１０は、コンテンツ記録再生装置１がモード２であれば、オーディオシステム情報をキャッシュメモリ１１に展開し、オーディオシステム情報に続いて画像システム情報を展開し、所定サイズが確保された領域に画像データの実体を展開し、更にサムネイル画像ファイルを展開する。
【０１３５】
更に、メモリ転送コントローラ１０は、コンテンツ記録再生装置１がモード３であれば、ミニディスク９０に記録されたコンテンツデータのうち、まずオーディオシステム情報をキャッシュメモリ１１に展開し、続いてオーディオデータの実体を画像システム情報領域を確保して展開し、続いてオーディオデータが再生可能になったとき再生を開始するとともに画像システム情報及びサムネイル画像ファイルを展開する。
【０１３６】
以上説明した各モードにおけるコンテンツデータのキャッシュメモリ１１への展開処理は、１回のディスクアクセスにより行われる。
【０１３７】
上述したように、コンテンツ記録再生装置１は、ミニディスク９０に記録されたコンテンツの「システム情報」をコンテンツ毎に纏めて予め確保された領域に展開し、なお且つミニディスク９０に記録された全コンテンツに関するシステム情報を必ずキャッシュメモリに展開することにより、フォーマットの異なるコンテンツを同時に或いは切り換えて再生するときの記録媒体へのアクセス回数を低減でき、再生応答時間等を短縮することができる。
【図面の簡単な説明】
【０１３８】
【図１】本発明の具体例として示すコンテンツ記録再生装置１の概略を説明する図である。
【図２】上記コンテンツ記録再生装置１のメディアドライブ部を説明する構成図である。
【図３】上記コンテンツ記録再生装置１のストレージ部としてのＥＦＭ／ＡＣＩＲＣコーデックを説明する構成図である。
【図４】上記コンテンツ記録再生装置１にて記録再生されるミニディスクの盤面上のエリア構造例を説明する模式図である。
【図５】上記コンテンツ記録再生装置１にて記録再生されるミニディスクの盤面上のエリア構造例を説明する模式図である。
【図６】上記ミニディスクにオーディオデータとＰＣ用データとを混在記録した場合の盤面上のエリア構成を説明する模式図である。
【図７】オーディオデータの管理方式の一例であるＦＡＴファイルシステムを説明する図である。
【図８】ＦＡＴファイルシステムにおけるオーディオデータファイルの構造を説明する図である。
【図９】ＦＡＴファイルシステムにおけるトラックインフォメーションファイルの構造を説明する図である。
【図１０】ＦＡＴファイルシステムにおけるプレイオーダテーブルの構造を説明する図である。
【図１１】ＦＡＴファイルシステムにおけるプログラムドプレイオーダテーブルの構造を説明する図である。
【図１２】ＦＡＴファイルシステムにおけるグループインフォメーションテーブルの構造を説明する図である。
【図１３】上記グループインフォメーションテーブルを説明する図である。
【図１４】ＦＡＴファイルシステムにおけるトラックインフォメーションテーブルの構造を説明する図である。
【図１５】上記トラックインフォメーションテーブルを説明する図である。
【図１６】ＦＡＴファイルシステムにおけるパーツインフォメーションの構造を説明する図である。
【図１７】上記パーツインフォメーションを説明する図である。
【図１８】ＦＡＴファイルシステムにおけるネームテーブルの構造を説明する図である。
【図１９】上記ネームテーブルを説明する図である。
【図２０】コンテンツ記録再生装置がメモリ転送コントローラによって再生すべきコンテンツデータに応じてキャッシュメモリにデータを展開する処理を説明するフローチャートである。
【図２１】モード１におけるキャッシュメモリに対するデータの割り当てを説明する図である。
【図２２】モード２におけるキャッシュメモリに対するデータの割り当てを説明する図である。
【図２３】モード３におけるキャッシュメモリに対するデータの割り当てを説明する図である。
【符号の説明】
【０１３９】
１  コンテンツ記録再生装置、  ２    データ記録再生制御部、  ３    画像処理部、  ４    記録再生部、  ５    オーディオデータ入力部、  ６    オーディオデータ出力部、  ７    オーディオデータ処理部、  ８    外部インターフェイス部、  ９    入力操作部、  １０    メモリ転送コントローラ、  １１  キャッシュメモリ、  １２    システムコントローラ、  １３    画像取得部、  １４    カメラデータバッファメモリ、  １５    表示部、  １６    画像データ処理部、  １７    画像データ制御部、  １８    ＵＳＢハブ、  １９，２０    ＵＳＢインターフェイス
【図１】
2006164338.tif 000003
【図２】
2006164338.tif 000004
【図３】
2006164338.tif 000005
【図４】
2006164338.tif 000006
【図５】
2006164338.tif 000007
【図６】
2006164338.tif 000008
【図７】
2006164338.tif 000009
【図８】
2006164338.tif 000010
【図９】
2006164338.tif 000011
【図１０】
2006164338.tif 000012
【図１１】
2006164338.tif 000013
【図１２】
2006164338.tif 000014
【図１３】
2006164338.tif 000015
【図１４】
2006164338.tif 000016
【図１５】
2006164338.tif 000017
【図１６】
2006164338.tif 000018
【図１７】
2006164338.tif 000019
【図１８】
2006164338.tif 000020
【図１９】
2006164338.tif 000021
【図２０】
2006164338.tif 000022
【図２１】
2006164338.tif 000023
【図２２】
2006164338.tif 000024
【図２３】
2006164338.tif 000025